(57)【特許請求の範囲】
【請求項１】
水を電気的に処理する水処理部（10）を備えた水処理装置であって、
上記水処理部（10）は、
電気絶縁性の仕切板（15）によって仕切られてそれぞれを水が流れる第１流水路（21a）及び第２流水路（21b）と、
上記第１流水路（21a）の水と接する第１電極（31）と、
上記第２流水路（21b）の水と接する第２電極（32）と、
上記第１電極（31）と上記第２電極（32）に電圧を印加する電源（33）とを備え、
上記仕切板（15）には、上記第１電極（31）と上記第２電極（32）の間の電流経路を構成する貫通孔（35）が一つだけ形成され、
上記電源（33）が上記第１電極（31）と上記第２電極（32）に電圧を印加すると、上記仕切板（15）の貫通孔（35）において気泡（C）が形成され、該気泡（C）内において放電が生起する一方、
上記水処理部（10）へ導入されて上記第１流水路（21a）と上記第２流水路（21b）へ分配される水が流れる流入部（3a）と、
上記流入部（3a）から供給された水を上記第１流水路（21a）及び上記第２流水路（21b）に対して噴霧することによって、上記流入部（3a）を流れる水と上記第１流水路（21a）及び上記第２流水路（21b）の水を電気的に絶縁すると共に、上記第１流水路（21a）の水と上記第２流水路（21b）の水を電気的に絶縁する流入側の絶縁部（40）と、
上記第１流水路（21a）及び上記第２流水路（21b）から流出した水が合流して流れる流出部（3b）と、
上記第１流水路（21a）及び上記第２流水路（21b）から流出する水を雫状にして落下させることによって、上記流出部（3b）を流れる水と上記第１流水路（21a）及び上記第２流水路（21b）の水を電気的に絶縁すると共に、上記第１流水路（21a）の水と上記第２流水路（21b）の水を電気的に絶縁する流出側の絶縁部（50）とを更に備えている
ことを特徴とする水処理装置。
【請求項２】
請求項１において、
上記流入側の絶縁部（40）は、上記水処理部（10）へ導入される水を滴下するノズルによって構成されている
ことを特徴とする水処理装置。
【請求項３】
請求項１において、
上記流入側の絶縁部（40）は、上記水処理部（10）へ導入される水を噴霧する噴霧部（40）によって構成されている
ことを特徴とする水処理装置。
【請求項４】
請求項１において、
上記流出側の絶縁部（50）は、上記水処理部（10）から流出する水を該水処理部（10）から雫状にして落下させるように構成されている
ことを特徴とする水処理装置。
【発明の詳細な説明】
【技術分野】
【０００１】
本発明は、水処理装置に関し、特に、絶縁構造に係るものである。
【背景技術】
【０００２】
従来、水処理装置には、処理槽の水中で放電を行うことにより水を浄化するものが知られている。特許文献１には、水中に正電極と負電極とが配置された水処理装置が開示されている。そして、正電極に高電圧パルスを印加し、両電極間を流れる水を処理している。
【先行技術文献】
【特許文献】
【０００３】
【特許文献１】特開２０００−０９３９７２号公報
【発明の概要】
【発明が解決しようとする課題】
【０００４】
しかしながら、上述した水処理装置においては、両電極が水の流れの途中に配置されている。このため、両電極が設けられる処理槽の上流側および下流側の水に電気が流れてしまうという問題があった。
【０００５】
本発明は、斯かる点に鑑みてなされたものであり、水処理部より電気が流れないようにすることを目的とする。
【課題を解決するための手段】
【０００６】
第１の発明は、水を電気的に処理する水処理部（10）を備えた水処理装置を対象とする。そして、上記水処理部（10）は、電気絶縁性の仕切板（15）によって仕切られてそれぞれを水が流れる第１流水路（21a）及び第２流水路（21b）と、上記第１流水路（21a）の水と接する第１電極（31）と、上記第２流水路（21b）の水と接する第２電極（32）と、上記第１電極（31）と上記第２電極（32）に電圧を印加する電源（33）とを備え、上記仕切板（15）には、上記第１電極（31）と上記第２電極（32）の間の電流経路を構成する貫通孔（35）が一つだけ形成され、上記電源（33）が上記第１電極（31）と上記第２電極（32）に電圧を印加すると、上記仕切板（15）の貫通孔（35）において気泡（C）が形成され、該気泡（C）内において放電が生起することを特徴としている。
【０００７】
また、第１の発明は、上記水処理部（10）へ導入されて上記第１流水路（21a）と上記第２流水路（21b）へ分配される水が流れる流入部（3a）と、上記流入部（3a）から供給された水を上記第１流水路（21a）及び上記第２流水路（21b）に対して噴霧することによって、上記流入部（3a）を流れる水と上記第１流水路（21a）及び上記第２流水路（21b）の水を電気的に絶縁すると共に、上記第１流水路（21a）の水と上記第２流水路（21b）の水を電気的に絶縁する流入側の絶縁部（40）と、上記第１流水路（21a）及び上記第２流水路（21b）から流出した水が合流して流れる流出部（3b）と、上記第１流水路（21a）及び上記第２流水路（21b）から流出する水を雫状にして落下させることによって、上記流出部（3b）を流れる水と上記第１流水路（21a）及び上記第２流水路（21b）の水を電気的に絶縁すると共に、上記第１流水路（21a）の水と上記第２流水路（21b）の水を電気的に絶縁する流出側の絶縁部（50）とを更に備えることを特徴としている。
【０００８】
上記第１の発明では、絶縁部（40，50）を備えているので、水処理部（10）から該水処理部（10）に連通する水に電気が流れることがなく、投入した電力が効率よく使用される。
【０００９】
また、上記第１の発明では、絶縁部（40，50）が水処理部（10）の流入側と流出側とに設けられているので、水処理部（10）から該水処理部（10）の上流側と下流側との水に電気が流れることがなく、投入した電力が効率よく使用される。
【００１０】
第２の発明は、上記第１の発明において、上記流入側の絶縁部（40）は、上記水処理部（10）へ導入される水を滴下するノズルによって構成されていることを特徴としている。
【００１１】
上記第２の発明では、水通路（3）から水処理部（10）に流れる水を滴状にし、水処理部（10）と該水処理部（10）に連通する水との間のインピーダンスを大きくし、水処理部（10）と該水処理部（10）に連通する水との間を絶縁する。
【００１２】
第３の発明は、上記第１の発明において、上記流入側の絶縁部（40）は、上記水処理部（10）へ導入される水を噴霧する噴霧部（40）によって構成されていることを特徴としている。
【００１３】
上記第３の発明では、水通路（3）から水処理部（10）に流れる水を噴霧状にし、水処理部（10）と該水処理部（10）に連通する水との間のインピーダンスを大きくし、水処理部（10）と該水処理部（10）に連通する水との間を絶縁する。
【００１４】
第４の発明は、上記第１の発明において、上記流出側の絶縁部（50）は、上記水処理部（10）から水通路（3）に流れる水を水処理部（10）から雫状にして落下させるように構成されていることを特徴としている。
【００１５】
上記第４の発明では、水処理部（10）から水通路（3）に流れる水を雫状にして落下させ、いわゆる滝状にし、水処理部（10）と該水処理部（10）に連通する水との間のインピーダンスを大きくし、水処理部（10）と該水処理部（10）に連通する水との間を絶縁する。
【発明の効果】
【００１６】
本発明によれば、水処理部（10）と該水処理部（10）に連通する水との間に絶縁部（40，50）を備えているので、水処理部（10）から該水処理部（10）に連通する水に電気が流れることを確実に抑制することができることから、投入した電力を効率よく使用することができる。
【００１７】
また、本発明によれば、絶縁部（40，50）が水処理部（10）の流入側と流出側とに設けられているので、水処理部（10）から該水処理部（10）の上流側と下流側との水に電気が流れることを確実に抑制することができることから、投入した電力をより効率よく使用することができる。
【００１８】
また、第２の発明によれば、水通路（3）から水処理部（10）に流れる水を滴状にするので、水処理部（10）と該水処理部（10）に連通する水との間のインピーダンスを大きくすることができることから、水処理部（10）と該水処理部（10）に連通する水との間を確実に絶縁することができる。
【００１９】
また、第３の発明によれば、水通路（3）から水処理部（10）に流れる水を噴霧状にするので、水処理部（10）と該水処理部（10）に連通する水との間のインピーダンスを大きくすることができることから、水処理部（10）と該水処理部（10）に連通する水との間を確実に絶縁することができる。
【００２０】
また、第４の発明によれば、水処理部（10）から水通路（3）に流れる水を雫状にして落下させ、いわゆる滝状にするので、水処理部（10）と該水処理部（10）に連通する水との間のインピーダンスを大きくすることができることから、水処理部（10）と該水処理部（10）に連通する水との間を確実に絶縁することができる。
【図面の簡単な説明】
【００２１】
【図１】図１は、実施形態に係る水処理装置を示す配管系統図である。
【図２】図２は、実施形態に係る水処理部を示す図である。
【図３】図３は、実施形態に係る水処理部を模式的に示す図である。
【図４】図４は、実施形態に係る放電ユニットを示す概略の断面図である。
【図５】図５は、実施形態に係る高電圧発生部で発生させる電圧波形を示す図である。
【図６】図６は、実施形態に係る放電ユニットの一部を拡大して示す図である。
【発明を実施するための形態】
【００２２】
以下、本発明の実施形態を図面に基づいて詳細に説明する。
【００２３】
図１に示すように、本発明の実施形態に係る水処理装置（1a）は、水循環回路（1）と貯水タンク（2）とを備えている。
【００２４】
上記貯水タンク（2）は、水（湯水を含む、以下同様とする。）が貯留されている。貯水タンク（2）には、水循環回路（1）と、第１流路管（6）と第２流路管（7）とが接続されている。
【００２５】
上記水循環回路（1）は、貯水タンク（2）内の水を循環させて攪拌させるものである。水循環回路（1）には、水配管（3）と２つの開閉バルブ（4,4）と２つのポンプ（5,5）と水処理部（10）とが接続されている。尚、水処理部（10）の詳細な構成は後述する。
【００２６】
上記水配管（3）は、内部を水が流通可能な管である。水配管（3）は、その一端が貯水タンク（2）の外側面に接続される一方、その他端が貯水タンク（2）の外側面の反対側に接続されている。水配管（3）の途中には、上述した２つのポンプ（5,5）と２つの開閉バルブ（4,4）と水処理部（10）とが接続されている。
【００２７】
上記開閉バルブ（4,4）は、水配管（3）の流路を開閉可能な弁に構成されている。２つの開閉バルブ（4,4）のうち、一つは水処理部（10）の水の流入側に設けられ、残りの一つは水処理部（10）の水の流出側に設けられている。２つのポンプ（5,5）のうち、一つは水処理部（10）の流入側に設けられた開閉バルブ（4）と貯水タンク（2）との間に設けられ、残りの一つは水処理部（10）とその流出側に設けられた開閉バルブ（4）との間に設けられている。各開閉バルブ（4,4）は、開けると水配管（3）の内部を水が流通する一方、閉じると水配管（3）の内部の水の流通が停止する。
【００２８】
−水処理部の構成−
図２および図３に示すように、水処理部（10）は、水配管（3）の流入部（3a）から流入させた水を浄化して水配管（3）の流出部（3b）から流出させるものである。
【００２９】
上記水処理部（10）は、噴霧装置（40）を介して水配管（3）の流入部（3a）に連通し、下流槽（50）を介して水配管（3）の流出部（3b）に連通している。そして、この水処理部（10）は、処理槽（11）と、複数の放電ユニット（30a,30b）を備えている。水処理部（10）は、水配管（3）から流入させた水を噴霧装置（40）から処理槽（11）に供給し、該処理槽（11）において放電ユニット（30a,30b）で発生させた殺菌因子により上記水を浄化している。浄化された水は、下流槽（50）を流れ、下流槽（50）から再び水配管（3）に流出している。
【００３０】
上記処理槽（11）は、平面視で略長方形状に形成され、箱体状の水槽である。具体的には、処理槽（11）は、平面視で略長方形の平板に形成された底部（12）と、横長の略長方形の平板に形成され、且つ底部（12）の両長辺からそれぞれ上方に延びる長壁部（13,13）と、縦長の略長方形状の平板に形成され、且つ底部（12）の両短辺からそれぞれ上方に延びる短壁部（14a,14b）とで形成されている。処理槽（11）の長手方向の他端側（すなわち、水の流出側）の短壁部（14b）は、その高さが処理槽（11）の長手方向の一端側（すなわち、水の流入側）の短壁部（14a）および長壁部（13,13）よりも低く形成されて流出口部（17）が形成されている。
【００３１】
上記処理槽（11）の内部には、その幅方向に所定間隔を置いて複数の仕切板（15）が配置されている。各仕切板（15）は、横長の略長方形状の平板に形成され、処理槽（11）の長手方向に沿って配置されて該処理槽（11）の内部を複数のレーン（21a〜22b）に仕切っている。各仕切板（15）は、電気絶縁性を有する材料で形成されている。また、後述する第１流路（21）および第２流路（22）に配置される仕切板（15,15）には、それぞれに厚さ方向に貫通する孔部（16）が形成されている。上記処理槽（11）には、各仕切板（15）によって、図２における手前側から順に第１〜第４レーン（21a〜22b）が形成されている。尚、処理槽（11）に形成されるレーン（21a〜22b）の数は、例示であり、水処理部（10）が浄化する水量に応じて自由に変更することができる。尚、仕切板（15）は、本発明に係る仕切部材を構成している。また、各レーン（21a〜22b）は、本発明に係る流水路を構成している。
【００３２】
また、各レーン（21a〜22b）は、第１および第２レーン（21a,21b）が一対となって第１流路（21）を形成し、第３および第４レーン（22a,22b）が一対となって第２流路（22）を形成している。
【００３３】
図４に示すように、上記複数の放電ユニット（30a,30b）は、第１放電ユニット（30a）と第２放電ユニット（30b）とで構成されている。各放電ユニット（30a,30b）は、上述した一対のレーン（21a,21b,22a,22b）ごとに一つずつ設けられる。
【００３４】
上記第１放電ユニット（30a）は、第１流路（21）の水を浄化するものである。第１放電ユニット（30a）は、電極対（31,32）と、この電極対（31,32）に接続され、該電極対（31,32）に所定の電圧を印加する高電圧発生部（33）と、上述した孔部（16）が形成された仕切板（15）とを備えている。仕切板（15）には、放電部材（34）が設けられている。尚、第２放電ユニット（30b）は、第２流路（22）の水を浄化するものである。第２放電ユニット（30b）の具体的な構成は、上記第１放電ユニット（30a）と同様であるため、説明は省略する。
【００３５】
上記電極対（31,32）は、水中で放電を生起するためのものであり、ホット側の電極（31）とニュートラル側の電極（32）とで構成されている。電極（31）は、扁平な板状に形成され、第１レーン（21a）に配置されている。電極（31）は、高電圧発生部（33）に接続されている。上記電極（32）は、扁平な板状に形成され、第２レーン（21b）に配置されている。電極（32）は、高電圧発生部（33）に接続されている。また、電極（31）と電極（32）とは互いに略平行となるように配設されている。尚、これらの電極（31,32）は、例えば耐腐食性の高い金属材料で構成される。
【００３６】
上記高電圧発生部（33）は、電極対（31,32）に所定の電圧を印加する電源で構成されている。本実施形態では、高電圧発生部（33）は、例示として、図５に示すように、電極対（31,32）に対して、正負が入れ替わる交番波形の電圧を印加するように構成されている。この交番形波（方形波）のＤｕｔｙは、正極側と負極側の割合が等しくなるように調節されている。尚、電極対（31,32）に印加される電圧は、例示であって、交番型の電圧であれば、方形波に限らず、正弦波などでもよい。
【００３７】
上記放電部材（34）は、板状の絶縁部材である。放電部材（34）は、例えばセラミックス等の電気絶縁材料で構成されている。放電部材（34）は、第１レーン（21a）と第２レーン（21b）とを仕切る仕切板（15）に形成された孔部（16）を塞ぐように配置されている。放電部材（34）には、その略中央に微小な放電孔（35）が形成されている。放電孔（35）は、例えば、電気抵抗が数ＭΩとなるように設計されている。この放電孔（35）は、電極（31）と電極（32）との間の電流経路を構成する貫通孔である。以上のような放電孔（35）は、電極対（31,32）の間の電流経路の電流密度を上昇させる電流密度集中部となる。図６に示すように、電極（31）および電極（32）に電圧が付与されると、放電部材（34）の放電孔（35）内では、電流経路の電流密度が上昇することで、水がジュール熱によって気化して気泡（Ｃ）が形成される。そして、気泡（Ｃ）内では、気泡（Ｃ）と水との界面が電極となって放電（スパーク放電）が発生する。すなわち、この放電では、上記電極（31）および電極（32）が放電電極とならないため、放電によって電極（31,32）が劣化するのを抑制できる。
【００３８】
上記噴霧装置（40）は、水配管（3）に接続され、該水配管（3）の流入部（3a）から流入させた水を噴霧して処理槽（11）に供給するものであって、本発明に係る絶縁部を構成している。噴霧装置（40）は、ノズルヘッダ（41）と、各レーン（21a〜22b）に対応した複数の噴霧ノズル（42）とを備えている。
【００３９】
上記ノズルヘッダ（41）は、細長い管状に形成され、水配管（3）に対して直交するように設けられ、側面に水配管（3）が接続され、水配管（3）から流入する水を各噴霧ノズル（42）に分けるように設けられている。
【００４０】
上記噴霧ノズル（42）は、ノズルヘッダ（41）の長手方向に所定の間隔を置いて複数個設けられている。噴霧ノズル（42）は、各レーン（21a〜22b）に対応して設けられている。水配管（3）を流れる水は、流入部（3a）からノズルヘッダ（41）に流入し、噴霧ノズル（42）から粒状（液滴）となって対応するレーン（21a〜22b）に向かって噴霧される。このとき、噴霧ノズル（42）から噴霧された水が粒状（液滴）となることで各粒間（各液滴間）に空気が介在して電気抵抗が高くなる。こうすることで、水配管（3）の流入部（3a）から流入する水と、処理槽（11）を流れる水とが電気的に絶縁されることになる。尚、噴霧ノズル（42）によって噴霧させることによって、水配管（3）の流入部（3a）の水と、処理槽（11）の水との間の電気抵抗は、数百ＭΩ以上となる。
【００４１】
上記下流槽（50）は、上記処理槽（11）の水の流出側に設けられ、該処理槽（11）から流れ落ちて雫状になった水を流入させる水槽である。下流槽（50）は、平面視で略長方形状の箱体に形成され、側面が外壁部（51）によって囲まれて形成されている。下流槽（50）の外壁部（51）の高さは、処理槽（11）の長壁部（13）および流入側の短壁部（14a）の高さと同じである。下流槽（50）には、水配管（3）の流出部（3b）が接続されている。下流槽（50）と処理槽（11）との間は、処理槽（11）の流出側の短壁部（14b）によって仕切られている。この短壁部（14b）は、流出口部（17）が設けられているため、処理槽（11）に貯留された水は、処理槽（11）が一杯となる前に流出口部（17）から下流槽（50）の底に向かって堰を切って滝のように流れ落ちる。この際、流出口部（17）から下流槽（50）の底部又は下流槽（50）に貯留された水の液面までの間は、所定の高さを有している。このため、処理槽（11）の水は、流出口部（17）から下流槽（50）に流れ落ちる際に雫となる。下流槽（50）に流れ落ちる水が雫（粒状又は液滴）となることで各粒間（液滴間）に空気が介在して電気抵抗が高くなる。こうすることで、処理槽（11）に貯留された水と下流槽（50）を流れる水とが電気的に絶縁される。尚、処理槽（11）と下流槽（50）との間の電気抵抗は、数百ＭΩ以上になる。その後、下流槽（50）を流れる水は、水配管（3）の流出部（3b）から流出する。尚、上記流出口部（17）から粒状となって流れ落ちる水が流入する下流槽（50）は、本発明に係る絶縁部を構成している。
【００４２】
−運転動作−
本実施形態に係る水処理装置（1a）では、水処理部（10）において、水配管（3）を流れる水処理がなされる。
【００４３】
水処理部（10）の運転開始前には、水循環回路（1）の開閉バルブ（4,4）が開かれ、貯水タンク（2）の水が水配管（3）内を流れる。そして、水配管（3）を流れる水は、ポンプ（5）を介して流入部（3a）からノズルヘッダ（41）内に流入し、噴霧ノズル（42）から各レーン（21a〜22b）に噴霧され、処理槽（11）内に水が貯留される。このとき、噴霧された水は、粒状（液滴）となっているため、各液滴間に空気が介在して電気抵抗が高くなる。このため、水配管（3）の流入部（3a）から流入する水と、処理槽（11）を流れる水とが電気的に絶縁される。
【００４４】
水処理部（10）の運転開始時には、処理槽（11）内が浸水した状態となっている。高電圧発生部（33）から電極対（31,32）に対して極性の割合が等しい方形波の電圧が印加されると、放電部材（34）の放電孔（35）の電流経路の電流密度が上昇する。
【００４５】
放電孔（35）内の電流経路の電流密度が上昇すると、放電孔（35）内のジュール熱が大きくなる。その結果、放電部材（34）では、放電孔（35）の内部および出入口の近傍において、水の気化が促進されて気体相としての気泡（Ｃ）が形成される。この気泡（Ｃ）は、図６に示すように、放電孔（35）の全域を覆う状態となる。この状態では、気泡（Ｃ）が電極（31）と電極（32）との間で水を介した導電を阻止する抵抗として機能する。これにより、電極（31,32）と水との間に電位差がほぼなくなり、気泡（Ｃ）と水との界面が電極となる。すると、気泡（Ｃ）内において、絶縁破壊が起こり、放電（スパーク放電）が発生する。
【００４６】
以上のようにして、気泡（Ｃ）内で放電が行われると、処理槽（11）の水中では、殺菌因子（水酸ラジカル等の活性種）が発生する。尚、水酸ラジカルは、本発明に係る殺菌因子を構成している。
【００４７】
その後、処理槽（11）の各レーン（21a〜22b）を流れる水は、流出口部（17）から下流槽（50）に向かって流れ落ちる。このとき、流出口部（17）から下流槽（50）に流れ落ちる水は雫となるため、各粒間（液滴間）に空気が介在して電気抵抗が高くなる。こうすることで、処理槽（11）に貯留された水と下流槽（50）を流れる水とが電気的に絶縁される。
【００４８】
−実施形態の効果−
本実施形態によれば、水処理部（10）と該水処理部（10）に連通する処理水との間に絶縁部（40，50）を備えているので、水処理部（10）から該水処理部（10）に連通する処理水に電気が流れることを確実に抑制することができることから、水処理部（10）の水中で確実に放電を生起させることができるし、投入した電力を効率よく使用することができる。
【００４９】
また、上記絶縁部（40，50）が水処理部（10）の流入側と流出側とに設けられているので、水処理部（10）から該水処理部（10）の上流側と下流側との処理水に電気が流れることを確実に抑制することができることから、水処理部（10）の水中でより確実に放電を生起させることができるし、投入した電力をより効率よく使用することができる。
【００５０】
また、上記水処理部（10）の放電によって、処理水中に殺菌因子を生成するので、この殺菌因子によって処理水を確実に浄化することができる。
【００５１】
また、上記水通路（3）から水処理部（10）に流れる処理水を噴霧状にするので、水処理部（10）と該水処理部（10）に連通する処理水との間のインピーダンスを大きくすることができることから、水処理部（10）と該水処理部（10）に連通する処理水との間を確実に絶縁することができる。
【００５２】
また、上記水処理部（10）から水通路（3）に流れる処理水を雫状にして落下させ、いわゆる滝状にするので、水処理部（10）と該水処理部（10）に連通する処理水との間のインピーダンスを大きくすることができることから、水処理部（10）と該水処理部（10）に連通する処理水との間を確実に絶縁することができる。
【００５３】
また、電極対（31，32）間に設けられた放電孔（35）において気泡（Ｃ）を発生させ、この気泡（Ｃ）内で放電させたため、気泡（Ｃ）と水との界面に放電電極を形成することができる。これにより、電極対（31，32）から金属などが析出するのを防止することができる。
【００５４】
最後に、第１〜第４レーン（21a〜22b）を設けたため、レーン（21a〜22b）の数に応じて水処理装置（1a）で処理する水量を調節することができる。
【００５５】
また、上記高電圧発生部（33）を交番型としたため、電極対（31,32）に印加される電圧の正負が所定時間おきに交互に入れ替わる。そのため、放電孔（35）においてはグロー放電を生起させることなくスパーク放電を生起させることができる。つまり、放電形態は、直流の場合は、電流の増加に伴ってスパーク放電からグロー放電に移行するところ、本実施形態では、放電形態がグロー放電に移行するまでに電極対（31,32）に印加される電圧の正負が入れ替わるので、放電孔（35）内においてグロー放電を発生させずにスパーク放電を発生し続けることができる。これにより、放電孔（35）のグロー放電による熱的破壊を抑制でき、放電孔（35）の孔径が拡大するのを抑制することが可能になる。よって、安定して放電を行うことができる。
【００５６】
また、上記電圧波形において正極側と負極側の割合を等しくしたので、両電極（31，32）において酸化反応と還元反応とを同等に行わせることができる。よって、電極対（31，32）の酸化反応による溶出を抑制することができ、また、上記高電圧発生部（33）で発生させる交番型の電圧波形により、各電極（31，32）から金属などが析出することを抑制することができるので、安定して放電を行うことができる。
【００５７】
また、上記電圧波形を方形波としたので、例えば、正弦波等と比べて、水の導電率に依存せずに放電を生起させることができる。よって、安定して放電を行うことが可能である。
【００５８】
〈その他の実施形態〉
本発明は、上記実施形態について、以下のような構成としてもよい。
【００５９】
上記実施形態では、水処理部（10）が処理水中で放電を生起するようにしたが、第１の発明では、水処理部（10）が処理水中で電気分解を生起するようにしてもよい。
【００６０】
また、上記流入側の絶縁部は、噴霧装置（40）で構成したが、上記水通路（3）から水処理部（10）に流れる処理水を滴下させるノズルによって構成してもよい。
【００６１】
また、上記実施形態の水処理装置（1a）は、水循環回路（1）を備えているが、第１の発明においては、水が循環するものでなくともよい。
【００６２】
尚、以上の実施形態は、本質的に好ましい例示であって、本発明、その適用物、あるいはその用途の範囲を制限することを意図するものではない。
【産業上の利用可能性】
【００６３】
以上説明したように、本発明は、電気的に処理水の浄化を行う水処理装置について有用である。
【符号の説明】
【００６４】
３            水配管
１０          水処理部
１１          処理槽
１５          仕切板
１６          放電孔
２１ａ        第１レーン（流水路）
２１ｂ        第２レーン（流水路）
２２ａ        第３レーン（流水路）
２２ｂ        第４レーン（流水路）
３１          電極（ホット側）
３２          電極（ニュートラル側）
３３          高電圧発生部
４０          噴霧装置（流入側の絶縁部）
５０          下流槽（流出側の絶縁部）
【図１】
0005585644.tif 000002
【図２】
0005585644.tif 000003
【図３】
0005585644.tif 000004
【図４】
0005585644.tif 000005
【図５】
0005585644.tif 000006
【図６】
0005585644.tif 000007